(57)【要約】【課題】単電池間の熱移動を好適に制御する。【解決手段】第１の単電池と第２の単電池とを仕切る仕切り部材とともに組電池を構成する充填部材であって、第１の単電池の温度が異常発熱状態の温度以上となった場合において、仕切り部材の熱移動感度Ｓｄが０＜Ｓｄ≦２であり、仕切り部材の熱移動感度Ｓｄと充填部材の熱移動感度Ｓｂとの関係が０．３≦（Ｓｄ／Ｓｂ）≦４．０であることを特徴とする。【選択図】図１
2019185846.tif 000002
【特許請求の範囲】
【請求項１】
第１の単電池と、第２の単電池と、前記第１の単電池と前記第２の単電池との間を仕切る仕切り部材とともに組電池を構成する充填部材であって、
前記充填部材は、厚み方向と前記厚み方向に直交する面方向とを有し、前記面方向に沿った第１の面と第２の面とを有し、前記第１の単電池及び前記第２の単電池と前記第１の面において接触するとともに、前記第２の面において前記第１及び第２の単電池を冷却可能な冷却部材と接触し、
前記第１の単電池から発せられる熱が前記仕切り部材を介して前記第２の単電池へ移動する場合の前記仕切り部材の熱移動感度Ｓｄが以下の式１により定義され、
前記仕切り部材の熱移動感度Ｓｄ[Ｗ／Ｋ]＝
前記仕切り部材の熱伝導率ｋｄ[Ｗ／ｍ・Ｋ]×前記仕切り部材と前記第１の単電池との接触面積Ａｄ[ｍ２]／前記仕切り部材の厚みｄｄ[ｍ]・・・（式１）
前記第１の単電池から発せられる熱が前記充填部材及び前記冷却部材を介して前記第２の単電池へ移動する場合の前記充填部材の熱移動感度Ｓｂが以下の式２により定義され、
前記充填部材の熱移動感度Ｓｂ[Ｗ／Ｋ]＝
前記充填部材の熱伝導率ｋｂ[Ｗ／ｍ・Ｋ]×前記充填部材と前記第１及び第２の単電池との接触面積Ａｂ[ｍ２]／前記充填部材の厚みｄｂ[ｍ]・・・（式２）
前記第１の単電池の温度が異常発熱状態の温度以上となった場合において、前記仕切り部材の熱移動感度Ｓｄが以下の式３を満たし、
０＜  Ｓｄ  ≦  ２  ・・・（式３）
前記熱移動感度Ｓｄと前記充填部材の熱移動感度Ｓｂとの関係が以下の式４を満たす
０．３  ≦（Ｓｄ／Ｓｂ）≦  ４．０  ・・・（式４）
ことを特徴とする充填部材。
【請求項２】
前記充填部材の厚み方向の熱伝導率が２．０×１０−２Ｗ／ｍ・Ｋ以上１０．０Ｗ／ｍ・Ｋ以下である、請求項１に記載の充填部材。
【請求項３】
前記充填部材の厚みが５．０×１０−５ｍ以上５．０×１０−３ｍ以下である、
請求項１又は２に記載の充填部材。
【請求項４】
請求項１に記載の仕切り部材であって、前記第１の単電池及び前記第２の単電池が異常発熱状態の温度に昇温していない場合において、前記熱移動感度Ｓｄの値が２より大きい、仕切り部材。
【請求項５】
請求項１に記載の仕切り部材であって、厚み方向と前記厚み方向に直交する面方向とを有し、前記仕切り部材の厚み方向の二面のうち一方の平均温度が１８０℃を超える場合において、前記厚み方向の熱伝導率が２．０×１０−２Ｗ／ｍ・Ｋ以上２．０Ｗ／ｍ・Ｋ以下である、仕切り部材。
【請求項６】
前記仕切り部材の厚み方向の二面のうち双方の平均温度が８０℃を超えない場合において、前記厚み方向の熱伝導率が５．０×１０−２Ｗ／ｍ・Ｋ以上５０Ｗ／ｍ・Ｋ以下である、
請求項４又は５に記載の仕切り部材。
【請求項７】
前記第１及び第２の単電池の厚みがＬｍｍである場合に、厚みがＬ／５０ｍｍ以上Ｌ／１０ｍｍ以下である、請求項４から６のいずれか１項に記載の仕切り部材。
【請求項８】
請求項１から３のいずれか１項に記載の充填部材を含む組電池。
【請求項９】
請求項４から７のいずれか１項に記載の仕切り部材を含む組電池。
【請求項１０】
前記熱移動感度Ｓｄが式３を満たすとともに、前記熱移動感度Ｓｄと前記熱移動感度Ｓｂとの関係が式４を満たす、請求項１に記載の前記仕切り部材及び前記充填部材を用いて、前記第１の単電池から前記仕切り部材、前記充填部材及び前記冷却部材を介して前記第２の単電池に伝わる熱量を制御する、熱伝達の制御方法。
【発明の詳細な説明】
【技術分野】
【０００１】
本発明は、充填部材、組電池、及び熱伝達の制御方法に関する。
【背景技術】
【０００２】
近年、車両等の電源としての二次電池の使用が急増している。車両等の限られた空間に搭載する際の自由度を向上させること、一度の充電に対して走行可能な航続距離を伸ばすこと等を目的として、二次電池の高エネルギー密度化の検討が進められている。
【０００３】
二次電池の安全性はエネルギー密度とは相反する傾向にあり、エネルギー密度が高くなるほど二次電池の安全性は低下する傾向にある。例えば、航続距離が数百ｋｍに及ぶような電気自動車に搭載される二次電池では、過充電や内部短絡等により二次電池が損傷した場合の電池表面温度が数百℃を超え、１０００℃近くに及ぶ場合もある。
【０００４】
車両等の電源に使用される二次電池は、一般に複数の単電池（以下、「セル」ともいう）から成る組電池として用いられる。このため、組電池を構成する単電池の一つが損傷し上記のような温度域に到達した場合、その発熱により隣接する電池が損傷を受け、連鎖的に組電池全体に損傷が拡がるおそれがある。
【０００５】
ところで、多数の単電池を連結して構成される組電池は、充放電する電流で発熱する。特に、車両用の電源装置として使用される組電池の発熱量は、充放電の電流が極めて大きいことから大きくなる。発熱による温度上昇は電池の電気特性を低下させる原因となる。また、多数の単電池を連結して出力電圧を高くしている車両用の組電池は、組電池を構成する個々の単電池間の温度差をできる限り小さくすることが極めて大切である。それは、単電池間の温度差が電池の電気特性のバランスを崩して残容量を不均一にし、特定の単電池の寿命を短くするからである。このため、通常、車両用の電源装置では、充放電時の温度上昇を少なくするために電池を冷却する装置を備えている。このような冷却装置について、連結された多数の単電池をできるだけ効率的に、かつ均等に冷却することが重要である。
【０００６】
例えば、特許文献１に記載されているように、通常、冷却装置は熱伝導率の良い金属等で構成される。しかし、電池と冷却装置とが直接に接触すると通電するおそれがあるため、電池と冷却装置の隙間には絶縁性を有する部材が設置される。また、電池と冷却装置の間に隙間ができ冷却効率が低下することを防ぐため、電池と冷却装置を密着させる目的においても充填材が設置される。
【０００７】
また、特許文献２では、以下の手法が提案されている。複数の単電池を連結した車両用の電源装置は、各々の単電池の間にあって、単電池の表面に熱結合状態に接触してなるセパレータを備える。また、上記電源装置において、単電池の間に冷却隙間を設けてセパレータを介して積層するように固定し、この冷却隙間に冷却気体を強制送風する送風機構を備える。さらに、上記電源装置は、各々の単電池の外周面に熱結合してなる温度均等化プレートを備え、この温度均等化プレートの熱伝導率を単電池間に備えられたセパレータの熱伝導率よりも大きくする。
【先行技術文献】
【特許文献】
【０００８】
【特許文献１】特表２０１４−５０５３３３号公報
【特許文献２】特開２０１０−２７２４３０号公報
【発明の概要】
【発明が解決しようとする課題】
【０００９】
しかしながら、特許文献１に記載されているような冷却装置は、組電池を構成する単電池のうちの一つが損傷し高温に達した場合にも、隣接する電池への熱の移動を促進してしまうおそれがある。つまり、冷却装置が他の単電池への熱伝導を促進する結果、他の単電池も損傷するおそれがあった。
【００１０】
一方、特許文献２においては、組電池を構成する単電池の一つが損傷を受けた場合に冷却用部材を介して隣接する電池に伝わる熱量について、組電池を構成する単電池の発熱量や、組電池を構成する電池以外の部材による伝熱の影響を定量的に考慮した上での検討は十分になされていない。また、異常時に冷却装置の冷媒フローが止まった場合を想定した上での検討はなされていない。異常時に冷却装置の冷媒フローが止まった場合には、冷却装置による組電池外部への除熱効率が低下し、冷却装置を介した隣接セルへの伝熱への寄与が高まるため、より延焼のおそれがある。このため、冷却装置の冷媒フローが止まった状態をも想定して安全性への対策を構築しておくことが極めて重要である。
【００１１】
本発明は、複数の単電池を含む組電池において、単電池間の熱移動を好適に制御する充填部材を提供することを目的とする。
【課題を解決するための手段】
【００１２】
本発明者は上述した従来技術において十分に検討されていなかった、冷却用部材を介して単電池間を伝達される熱量について着目し、その影響について詳細な検討を行った。その結果、組電池を構成する第１及び第２の単電池を仕切る仕切り部材、並びに組電池を構成する複数の単電池と冷却用部材との間に介装される充填部材について、仕切り部材及び充填部材の熱移動抵抗を適切な範囲内に抑えることで、異常が発生した第１の単電池から第２の単電池に伝わる熱移動量を適切に制御することが重要であることを見出し、本発明に至った。本発明は以下の通りである。
【００１３】
[１]  第１の単電池と、第２の単電池と、前記第１の単電池と前記第２の単電池との間を仕切る仕切り部材とともに組電池を構成する充填部材であって、
前記充填部材は、厚み方向と前記厚み方向に直交する面方向とを有し、前記面方向に沿った第１の面と第２の面とを有し、前記第１の単電池及び前記第２の単電池と前記第１の面において接触するとともに、前記第２の面において前記第１及び第２の単電池を冷却可能な冷却部材と接触し、
前記第１の単電池から発せられる熱が前記仕切り部材を介して前記第２の単電池へ移動する場合の前記仕切り部材の熱移動感度Ｓｄが以下の式１により定義され、
前記仕切り部材の熱移動感度Ｓｄ[Ｗ／Ｋ]＝
前記仕切り部材の熱伝導率ｋｄ[Ｗ／ｍ・Ｋ]×前記仕切り部材と前記第１および第２の単電池との接触面積Ａｄ[ｍ２]／前記仕切り部材の厚みｄ[ｍ]・・・（式１）
前記第１の単電池から発せられる熱が前記充填部材及び前記冷却部材を介して前記第２の単電池へ移動する場合の前記充填部材の熱移動感度Ｓｂが以下の式２により定義され、
前記充填部材の熱移動感度Ｓｂ[Ｗ／Ｋ]＝
前記充填部材の熱伝導率ｋｂ[Ｗ／ｍ・Ｋ]×前記充填部材と前記第１及び第２の単電池との接触面積Ａｂ[ｍ２]／前記充填部材の厚みｄ[ｍ]・・・（式２）
前記第１の単電池の温度が異常発熱状態の温度以上となった場合において、前記仕切り部材の熱移動感度Ｓｄが以下の式３を満たし、
０＜  Ｓｄ  ≦  ２  ・・・（式３）
前記熱移動感度Ｓｄと前記充填部材の熱移動感度Ｓｂとの関係が以下の式４を満たす
０．３  ≦（Ｓｄ／Ｓｂ）≦  ４．０  ・・・（式４）
ことを特徴とする充填部材。
【００１４】
[２]  前記充填部材の厚み方向の熱伝導率が２．０×１０−２Ｗ／ｍ・Ｋ以上１０．０Ｗ／ｍ・Ｋ以下である、[１]に記載の充填部材。
【００１５】
[３]  前記充填部材の厚みが５．０×１０−５ｍ以上５．０×１０−３ｍ以下である、[１]又は[２]に記載の充填部材。
【００１６】
[４]  [１]に記載の仕切り部材であって、前記第１の単電池及び前記第２の単電池が異常発熱状態の温度に昇温していない場合において、前記熱移動感度Ｓｄの値が２より大きい、仕切り部材。
【００１７】
[５]  [１]に記載の仕切り部材であって、厚み方向と前記厚み方向に直交する面方向とを有し、前記仕切り部材の厚み方向の二面のうち一方の平均温度が１８０℃を超える場合において、前記厚み方向の熱伝導率が２．０×１０−２Ｗ／ｍ・Ｋ以上２．０Ｗ／ｍ・Ｋ以下である、仕切り部材。
【００１８】
[６]  前記仕切り部材の厚み方向の二面のうち双方の平均温度が８０℃を超えない場合において、前記厚み方向の熱伝導率が５．０×１０−２Ｗ／ｍ・Ｋ以上５０Ｗ／ｍ・Ｋ以下である、[４]又は[５]に記載の仕切り部材。
【００１９】
[７]  前記第１及び第２の単電池の厚みがＬｍｍである場合に、厚みがＬ／５０ｍｍ以上Ｌ／１０ｍｍ以下である、[４]から[６]のいずれか１項に記載の仕切り部材。
【００２０】
[８]  [１]から[３]のいずれか１項に記載の充填部材を含む組電池。
[９]  [４]から[７]のいずれか１項に記載の仕切り部材を含む組電池。
【００２１】
[１０]  前記熱移動感度Ｓｄが式３を満たすとともに、前記熱移動感度Ｓｄと前記熱移動感度Ｓｂとの関係が式４を満たす、[１]に記載の前記仕切り部材及び前記充填部材を用いて、前記第１の単電池から前記仕切り部材、前記充填部材及び前記冷却部材を介して前記第２の単電池に伝わる熱量を制御する、熱伝達の制御方法。
【発明の効果】
【００２２】
本発明によれば、複数の単電池を含む組電池において、単電池間の熱移動を好適に制御することができる。
【図面の簡単な説明】
【００２３】
【図１】図１は、充填部材及び冷却部材の構成を説明するとともに、充填部材の熱移動感度を説明する図である。
【図２】図２は、実施形態に係る組電池の一例を示す上面図である。
【図３】図３は、図２に示した組電池の側面を、手前側の側板を外した状態で模式的に示す側面図である。
【図４】図４は、単電池の一例を示す図である。
【図５】図５は、図４に示した単電池の正面図である。
【図６】図６は、図４に示した単電池の側面図である。
【図７】図７は、仕切り部材の説明図である。
【図８】図８は、単電池内部で発した熱の伝達経路を模式的に示す図である。
【発明を実施するための形態】
【００２４】
以下、図面を参照して、本発明の実施の形態に係る充填部材、組電池、及び熱伝達の制
御方法を説明する。以下に記載する実施形態の説明は一例であり、本発明は実施形態で説明する構成に限定されない。
【００２５】
本実施形態に係る充填部材は、第１の単電池と、第２の単電池と、第１の単電池と第２の単電池との間を仕切る仕切り部材とともに組電池を構成する。また、充填部材は、厚み方向と厚み方向に直交する面方向とを有し、面方向に沿った第１の面と第２の面とを有し、前記第１の単電池及び前記第２の単電池と前記第１の面において接触するとともに、前記第２の面において前記第１及び第２の単電池を冷却可能な冷却部材と接触する。また、充填部材に関して、第１の単電池から発せられる熱が充填部材及び冷却部材を介して第２の単電池へ移動する場合の充填部材の熱移動感度Ｓｂは、以下の式（１）により定義される。
熱移動感度Ｓｂ［Ｗ／Ｋ］＝充填部材の熱伝導率ｋｂ［Ｗ／ｍ・Ｋ］×充填部材と第１及び第２の単電池との接触面積Ａｂ［ｍ２］／充填部材の厚みｄｂ［ｍ］・・・（１）
【００２６】
ここで、本発明において、或る単電池を構成する電極や電解液等を構成する化学物質の一部ないし全てが、単電池の内部で発熱を伴いながら分解反応を起こすことにより、単電池の温度が上昇し、単電池の一部ないし全領域が２００℃以上になった状態を「異常発熱状態」という。
【００２７】
[熱移動感度]
図１は、充填部材及び冷却部材の構成を説明するとともに、充填部材の熱移動感度を説明する図である。図１において、例えば、第１の単電池は、単電池２００ａ（セル＃１）であり、第２の単電池は単電池２００ｂ（セル＃２）である。図１を用いて、充填部材１０の熱移動感度Ｓｂを説明する。熱移動感度Ｓｂとは、充填部材１０と組電池１００を構成する第１の単電池（セル＃１）と第１の単電池と異なる第２の単電池（セル＃２）とが接触しており、第１の単電池から発せられた熱が第２の単電池に移動する際に、充填部材と第１及び第２の単電池との接触部分を経由して移動する熱量の程度を示す尺度である。
【００２８】
熱移動感度Ｓｂは、充填部材１０として使用される材料の厚み方向における熱伝導率（ｋｂ［Ｗ／ｍ・Ｋ］）及び充填部材１０とセル＃１及びセル＃２（第１及び第２の単電池）との接触部分の面積（Ａｂ［ｍ２］）と、充填部材１０の厚み（ｄｂ［ｍ］）を用いて表すことができる。
【００２９】
ここで、セル＃１から充填部材１０及び冷却部材４００を介してセル＃２に伝わる熱量を考える。充填部材１０の厚み方向の２面（面方向に沿った２面）について、セル＃１及びセル＃２と接触する面を面１０ａ、その裏面を面１０ｂとする。図１において、充填部材１０の厚み方向は図１紙面の高さ方向に伸びており、充填部材１０の面方向は図１紙面の左右方向に伸びている。冷却部材４００は、図１の例では、充填部材１０の面１０ｂと密着する平面を有する板状に形成されている。また、充填部材１０の厚み方向の熱伝導率をｋｂ［Ｗ／ｍ・Ｋ］と定義し、充填部材１０の厚みをｄｂ［ｍ］とする。
【００３０】
さらに、充填部材１０の面１０ａとセル＃１とが接触する領域（領域ａ１とする）の平均温度をＴ１［℃］、領域ａ１と面対称の関係となる面１０ｂ上の領域（領域ｂ１とする）の平均温度をＴ２［℃］、充填部材１０の面１０ａとセル＃２とが接触する領域（領域ａ２とする）の平均温度をＴ４［℃］、領域ａ２と面対称の関係となる領域（領域ｂ２）の平均温度をＴ３［℃］とする。
【００３１】
平均温度Ｔ２が平均温度Ｔ１より低い場合、充填部材１０の領域ａ１と領域ｂ１とで表面温度差（Ｔ１−Ｔ２）が生じている。この場合、充填部材１０の領域ａ１の単位断面積当たりの熱流量（熱流束）ｑ１は、以下の式（３）によって表すことができる。
ｑ１  ＝  ｋｂ（Ｔ１−Ｔ２）／ｄｂ  ［Ｗ／ｍ２］  ・・・（３）
【００３２】
また、平均温度Ｔ４が平均温度Ｔ３より低い場合、充填部材１０の領域ｂ２と領域ａ２とで表面温度差（Ｔ３−Ｔ４）が生じている。この場合、充填部材１０の領域ｂ２の単位断面積当たりの熱流量（熱流束）ｑ２は、以下の式（４）によって表すことができる。
ｑ２  ＝  ｋｂ（Ｔ３−Ｔ４）／ｄｂ  ［Ｗ／ｍ２］  ・・・（４）
【００３３】
ここで、冷却部材４００は、例えば熱伝導性のよい金属等で構成することができる。このため、冷却部材４００から外部環境への除熱効率が低く、冷却部材４００の周囲が断熱された環境に近い状態となっている場合には、冷却部材４００内部の温度はほぼ均一とみなすことができる。このような条件下では、平均温度Ｔ２と平均温度Ｔ３とがほぼ等しい（Ｔ２≒Ｔ３）と近似できる。この場合、充填部材１０の領域ｂ２の単位断面積当たりの熱流量（熱流束）ｑ２は、以下の式（４−２）によって表すことができる。
ｑ２  ≒  ｋｂ（Ｔ２−Ｔ４）／ｄｂ  ［Ｗ／ｍ２］  ・・・（４−２）
【００３４】
以上より、セル＃１から冷却部材４００へ充填部材１０を経由して移動する接触面積Ａｂ[ｍ２]当たりの熱量Ｑ１、及び、冷却部材４００からセル＃２へ充填部材１０を経由して移動する接触面積Ａｂ[ｍ２]当たりの熱量Ｑ２は、以下の式（５）および（６）によって表すことができる。
Ｑ１  ＝  Ａｂ  ×  ｑ１  ＝Ａｂｋｂ（Ｔ１−Ｔ２）／ｄｂ  ［Ｗ］  ・・・（５）
Ｑ２  ＝  Ａｂ  ×  ｑ２  ＝Ａｂｋｂ（Ｔ２−Ｔ４）／ｄｂ  ［Ｗ］  ・・・（６）
【００３５】
充填部材１０の熱移動感度Ｓｂは、ある単電池から別の単電池に熱が移動する際、それらの単電池が充填部材１０に接触している場合に、その充填部材１０の接触部分を経由して移動する熱量の程度を示す尺度であるから、以下の式（７）および（８）で定義することができる。
Ｑ１  ＝  Ｓｂ  ×  （Ｔ１−Ｔ２）［Ｗ］  ・・・（７）
Ｑ２  ＝  Ｓｂ  ×  （Ｔ２−Ｔ４）[Ｗ]  ・・・（８）
【００３６】
熱移動感度Ｓｂは、式（５）、式（６）、式（７）、式（８）より、以下の式（９）で表すことができる。
Ｓｂ  ＝  Ｑ１／（Ｔ１−Ｔ２）  ＝  Ｑ２／（Ｔ２−Ｔ４）
＝  Ａｂｋｂ／ｄｂ  ［Ｗ／Ｋ］  ・・・（９）
【００３７】
また、仕切り部材１の熱移動感度Ｓｄは、仕切り部材１と組電池１００を構成する第１の単電池（例えばセル＃１）と第１の単電池と異なる第２の単電池（例えばセル＃２）とが接触しており、第１の単電池から発せられた熱が第２の単電池に移動する際に、仕切り部材１と第１及び第２の単電池との接触部分を経由して移動する熱量の程度を示す尺度である。
【００３８】
熱移動感度Ｓｄは、仕切り部材１として使用される材料の厚み方向における熱伝導率（ｋｄ［Ｗ／ｍ・Ｋ］）及び仕切り部材１とセル＃１およびセル＃２との接触部分の面積（Ａｄ［ｍ２］）と、仕切り部材１の厚み（ｄｄ［ｍ］）を用いて表すことができる。
【００３９】
ここで、セル＃１から仕切り部材１を介してセル＃２に伝わる熱量を考える。仕切り部材１の厚み方向の２面（面１ｃ及び面１ｄ）について、セル＃１と接触する面を面１ｃ、その裏面を面１ｄとする。なお、面１ｄはセル＃２と接触している（図２参照）。また、仕切り部材１の厚み方向の熱伝導率をｋｄ［Ｗ／ｍ・Ｋ］と定義し、仕切り部材１の厚みをｄｄ［ｍ］とする。
【００４０】
さらに、仕切り部材１の面１ｃとセル＃１とが接触する領域（領域ａ３（図示せず）とする）の平均温度をＴ１１［℃］、領域ａ２と面対称の関係となる面１ｄ上の領域（領域ｂ３（図示せず）とする）の平均温度をＴ１２［℃］とする。
【００４１】
平均温度Ｔ１２が平均温度Ｔ１１より低い場合、仕切り部材１の領域ａ２と領域ｂ２とで表面温度差（Ｔ１１−Ｔ１２）が生じている。この場合、仕切り部材１の領域ａ２の単位断面積当たりの熱流量（熱流束）ｑ３は、上記した式（１０）によって表すことができる。また、セル＃１からセル＃２へ仕切り部材１を経由して移動する接触面積Ａｄ [ｍ２]当たりの熱量Ｑ３は、上述した式（１１）によって表すことができる。
ｑ３  ＝  ｋｄ（Ｔ１１−Ｔ１２）／ｄｄ  ［Ｗ／ｍ２］  ・・・（１０）
Ｑ３  ＝  Ａｄ  ×  ｑ３  ＝Ａｄｋｄ（Ｔ１１−Ｔ１２）／ｄｄ  ［Ｗ］  ・・・（１１）
【００４２】
熱移動感度Ｓｄは、式（１０）及び式（１１）より、以下の式（１２）で表すことができる。
Ｓｄ  ＝  Ｑ３／（Ｔ１１−Ｔ１２）  ＝  Ａｄｋｄ／ｄｄ  ［Ｗ／Ｋ］  ・・・（１２）
【００４３】
本実施形態では、組電池１００を構成する仕切り部材１及び充填部材１０に関して、セル＃１の温度が異常発熱状態の温度以上となった場合において、仕切り部材１の熱移動感度Ｓｄが０＜Ｓｄ≦２の条件を満たし、この熱移動感度Ｓｄと充填部材１０の熱移動感度Ｓｂとの関係が０．３≦（Ｓｄ／Ｓｂ）≦４．０との条件を満たすように構成される。このようにすれば、セル＃１からの熱が充填部材１０及び冷却部材４００を介してセル＃２に適切に伝達されるように制御できる。すなわち、好適な単電池間の熱移動を行うことができる。
【００４４】
＜組電池＞
本発明の実施形態に係る組電池について説明する。組電池は、例えば、電気自動車（ＥＶ、Ｅｌｅｃｔｒｉｃ  Ｖｅｈｉｃｌｅ）、ハイブリッド電気自動車（ＨＥＶ、Ｈｙｂｒｉｄ  Ｅｌｅｃｔｒｉｃ  Ｖｅｈｉｃｌｅ）、プラグインハイブリッド電気自動車（ＰＨＥＶ、Ｐｌｕｇ−ｉｎ  Ｈｙｂｒｉｄ  Ｅｌｅｃｔｒｉｃ  Ｖｅｈｉｃｌｅ）、電動重機、電動バイク、電動アシスト自転車、船舶、航空機、電車、無停電電源装置（ＵＰＳ、Ｕｎｉｎｔｅｒｒｕｐｔｉｂｌｅ  Ｐｏｗｅｒ  Ｓｕｐｐｌｙ）、家庭用蓄電システム、風力／太陽光／潮力／地熱等の再生可能エネルギーを利用した電力系統安定化用蓄電池システム等に搭載される電池パックに適用される。但し、組電池１００は、上述のＥＶ等以外の機器に電力を供給する電力源としても使用し得る。
【００４５】
図２は、複数の単電池（「セル」ともいう）２００を用いて形成された組電池１００の一例の上面図を示し、図３は、図２に示した組電池１００から側板３００ｄを取り外した状態を模式的に示す側面図である。
【００４６】
〔単電池〕
図４は組電池１００を構成する単電池２００の一例を示す図であり、図５は図４に示した単電池２００の正面図であり、図６は、単電池の右側面図である。図４、図５及び図６に示す一例において、単電池２００は、高さ方向（Ｈ）、幅方向（Ｗ）、厚み方向（Ｄ）を有する直方体状に形成されており、その上面に端子２１０、端子２２０が設けられている。単電池２００は、例えば、リチウムイオンを吸蔵・放出可能な正極及び負極、並びに電解質を備えるリチウムイオン二次電池である。リチウムイオン二次電池以外に、リチウムイオン全固体電池、ニッケル水素電池、ニッケルカドミウム電池、鉛蓄電池等の二次電池を適用し得る。
【００４７】
〔組電池〕
図２及び図３において、組電池１００は、筐体３００と筐体３００内に収容された複数の単電池２００とを含む。複数の単電池２００は、その厚み方向“Ｄ”（図２の左右方向）に一列に並べて配置され、単電池２００の間に仕切り部材１が介装されている。筐体３００は、配列された複数の単電池２００の側方を囲むように設けられた側板３００ａ、３００ｂ、３００ｃ及び３００ｄを有する。側板３００ａ及び側板３００ｂには、図示しない治具などを用いて両者間の距離が縮まるように圧力がかけられ、側板３００ａ及び側板３００ｂに挟まれた各単電池２００はその厚み方向に圧力（拘束圧）がかけられた状態で保持される。なお、図２及び図３では、一例として５個の単電池２００が例示されているが、単電池の数は適宜選択可能である。また、図２及び図３の例では、組電池１００は端子２１０及び端子２２０が上方を向くように配置される例を示しているが、組電池１００は端子２１０及び端子２２０が側方を向くように配置されてもよい。
【００４８】
上述したように、筐体３００内において、複数の単電池２００はその厚み方向に並べられ、単電池２００間には、仕切り部材１が配置されている。仕切り部材１を介して隣り合う（対向する）単電池２００の正極端子（例えば端子２１０）と負極端子（例えば端子２２０）とは、バスバー３０１によって電気的に直列に接続される。これによって、組電池１００は、所定の電圧の電力を出力する。
【００４９】
〔仕切り部材〕
仕切り部材１は、図７に示すように、高さ方向（Ｈ）、幅方向（Ｗ）及び厚み方向（Ｄ）を有する平行平板状、或いはシート状の全体形状を有する。
仕切り部材１は、その厚み方向（Ｄ）において、面１ｃと、この面１ｃと反対方向に向いた面１ｄとを有し、組電池１００を構成する単電池２００間を仕切るために使用される。仕切り部材１は、断熱材１１０等で構成することができる。また、仕切り部材１の厚みは、単電池２００の厚みがＬ［ｍｍ］である場合に、通常、Ｌ／５０ｍｍ以上Ｌ／１０ｍｍ以下の範囲であり、好ましくは、Ｌ／３０ｍｍ以上Ｌ／１５ｍｍ以下の範囲である。
【００５０】
[断熱材]
断熱材１１０は、多孔質体材料等で形成される。多孔質体は、例えば、繊維質（繊維状無機物ともいう）や粒子（粉状無機物ともいう）から形成されているものを例示することができる。断熱材１１０は、例えば、繊維質や粒子を押し固める等の所定の成型技術を用いて形成することができる。
【００５１】
繊維質（繊維状無機物）は、例えば、紙、コットンシート、ポリイミド繊維、アラミド繊維、ポリテトラフルオロエチレン（ＰＴＦＥ）繊維、ガラス繊維、ロックウール、セラミック繊維及び生体溶解性無機繊維からなる群から選ばれる少なくとも１つであることが好ましく、これらの中でもガラス繊維、ロックウール、セラミック繊維及び生体溶解性無機繊維から選ばれる少なくとも１つであることが特に好ましい。セラミック繊維は、主としてシリカとアルミナからなる繊維（シリカ：アルミナ＝４０：６０〜０：１００）であり、具体的には、シリカ・アルミナ繊維、ムライト繊維、アルミナ繊維を用いることができる。
【００５２】
また、粒子（粉末状無機物）は、例えば、シリカ粒子、アルミナ粒子、ケイ酸カルシウム、粘土鉱物、バーミキュライト、マイカ、セメント、パーライト、フュームドシリカ及びエアロゲルからなる群から選ばれる少なくとも１つであることが好ましく、これらの中でもシリカ粒子、アルミナ粒子、粘土鉱物は主としてケイ酸マグネシウム（タルク、セピオライトを含む）、モンモリナイト、カオリナイトである。
【００５３】
[充填部材及び冷却部材]
図３に示すように、筐体３００の底部には、冷却部材（冷却装置ともいう）４００が配置されている。複数の単電池２００の夫々の底面は、平行平板状の充填部材１０の上面と接触し、充填部材１０の下面の一部ないし全面は、冷却部材４００と接している。各単電池２００からの熱は、充填部材１０を介して冷却部材４００へ伝達可能となっている。
【００５４】
冷却部材４００は、例えばヒートシンクなどである。冷却部材４００は、その内部で流体（冷媒）を移動（循環等）させるものであってもなくてもよい。充填部材１０は、例えば、一種類以上の材料、例えば一種類以上のプラスチック、プラスチックコンパウンド、プラスチック・金属複合材料などのうちの単独、又は適宜の組み合わせによって形成される。
【００５５】
図８は、単電池２００内部で発した熱の伝達経路を模式的に示す。単電池２００内部での発熱は、各種伝達経路を介して、他の単電池２００に伝達される。図６の例では、複数の単電池２００のうちの一つであるセル＃１（CELL #1）からの熱の伝達経路が模式的に
示されている。例えば、単電池２００（セル＃１）内部での発熱は、仕切り部材１を介して、他の単電池２００（セル＃２（CELL #2））に伝達することができる。また、単電池
２００からの熱は、バスバー３０１を介して外部に放熱される。また、単電池２００からの熱は、充填部材１０を介して冷却部材４００に伝達され、冷却部材４００から外部へ放熱することができる。
【００５６】
＜組電池における発熱及び熱移動＞
ここで、組電池１００における発熱及び熱移動について説明する。単電池２００を構成する電極や電解液等を構成する化学物質の一部ないし全てが、単電池２００内部で発熱を伴いながら分解反応を起こすことにより、単電池２００の温度が上昇し、単電池２００の一部ないし全領域が２００℃以上になる場合がある。即ち、単電池２００が異常発熱状態となる場合がある。
【００５７】
一般に、単電池２００を構成する材料のうち正極材料の安全性について、充電による脱リチウム後の結晶構造の安定性が大きく影響していることが知られている。正極材料として一般に用いられるＬｉＣｏＯ２、Ｌｉ（Ｎｉ１／３Ｍｎ１／３Ｃｏ１／３）Ｏ２、Ｌｉ（Ｎｉ０．８Ｃｏ０．１５Ａｌ０．０５）Ｏ２等の材料は、充電状態では高温下で、酸素放出を伴う結晶崩壊を起こす。正極から放出された酸素は電解液の酸化等を引き起こし、急激な発熱反応を伴う。放射光を用いた構造解析により、上記正極材料種では２００℃付近で結晶の相転移が起こることが報告されている。このため、単電池２００の一部ないし全領域が２００℃以上になる場合、正極の結晶崩壊が進行している、つまり単電池２００が熱暴走状態にあることを意味する（参考文献１：リチウムイオン電池の高安全技術と材料  シーエムシー出版、Ｐ．４４／参考文献２：Ｊ．Ｄａｈｎ  ｅｔ  ａｌ．，  Ｅｌｅｃｔｒｏｃｈｅｍｉｓｔｒｙ  Ｃｏｍｍｕｎｉｃａｔｉｏｎ，  ９，  ２５３４−２５４０  （２００７）／参考文献３：小林弘典、「放射光を用いたリチウムイオン二次電池用正極材料の評価・解析技術」Ｓｐｒｉｎｇ−８利用推進協議会  ガラス・セラミックス研究会（第二回）（２０１１））。
【００５８】
また、単電池２００を構成する材料のうち負極材料の安全性について、充電負極（リチウム挿入炭素負極）は基本的にリチウム金属と同様の強い還元性を示し、電解液との反応で負極表面上に被膜が形成され、それによってさらなる反応が抑制されていることが知られている。従って、その保護被膜の化学的組成や構造、熱安定性が温度上昇時の充電負極の熱安定性に多大な影響を与える。通常、充電負極と電解液との反応は、保護被膜の形成と、それに続く被膜破壊による爆発的な還元分解反応により説明される。一般に、負極上
での保護被膜形成反応は１３０℃付近から、引き続く被膜分解反応が２００℃付近で進行し、最終的に爆発的還元分解反応に至ることが報告されている。このため、単電池２００の一部ないし全領域が２００℃以上になる場合、負極表面の被膜破壊が進行している、つまり単電池２００が熱暴走状態にあることを意味する（参考文献４：電池ハンドブック第１版  オーム社、Ｐ．５９１／参考文献５：リチウムイオン電池の高安全技術・評価技術の最前線  シーエムシー出版、Ｐ．９０）。
【００５９】
また、本発明において、単電池２００を構成する電極や電解液等を構成する化学物質が、単電池２００内部で一定以上の発熱速度を伴う分解反応を起こしていない状態を、「通常状態」という。ここで、反応性化学物質が断熱条件下で自己発熱分解する際の熱的挙動を定量的に測定する手段であるＡＲＣ（Ａｃｃｅｌｅｒａｔｉｎｇ  ｒａｔｅ  ｃａｌｏｒｉｍｅｔｒｙ）を用いて、単電池２００の発熱状態を評価することができる。例えばＤａｈｎらは、ＡＲＣにおいて観測される発熱速度が０．０４℃／ｍｉｎを上回る場合に、セル内部で自己発熱反応が進行しているものと定義しており、これに倣うことができる（参考文献６：Ｊ．Ｄａｈｎ  ｅｔ  ａｌ．，  Ｅｌｅｃｔｒｏｃｈｉｍｉｃａ  Ａｃｔａ，  ４９，  ４５９９−４６０４  （２００４））。
【００６０】
また、本発明において、通常状態の単電池２００を、「通常状態を保持している単電池」、通常状態を逸脱し異常発熱状態に至っていない単電池２００を、「通常状態を逸脱した単電池」という。単電池２００が通常状態を逸脱していない場合に想定される表面平均温度の上限値は通常８０℃である。ここで、汎用電解液成分の沸点は、下記表１に示すように９０℃以上である。汎用電解液成分は、例えば、エチレンカーボネート（ＥＣ）、ジエチルカーボネート、ジメチルカーボネート（ＤＭＣ）、エチルメチルカーボネート（ＥＭＣ）である。単電池２００の表面平均温度が８０℃より低い場合は、単電池２００を構成する汎用電解液自体の沸騰には至らない。
【表１】
2019185846.tif 000003
【００６１】
例えば、仕切り部材１に接触する単電池２００が通常状態を逸脱し、異常発熱状態に至っていない場合に想定される表面平均温度の上限値が１８０℃とする。ここで、仕切り部材１の材料が、仮に、汎用セパレータ材であるポリエチレンやポリプロピレン製であると仮定する。この場合、そのメルトダウン温度は１６０〜２００℃であることが知られている。このため、単電池２００の表面平均温度が１８０℃を超える場合には、単電池２００を構成する汎用セパレータ材の一部がメルトダウンし、異常発熱状態に至るおそれがある。
【００６２】
これに対し、仕切り部材１の、組電池１００を構成する単電池２００間を仕切る厚み方向の二面（厚み方向と直交する二面、すなわち面１ｃ及び面１ｄ）のうちの一方の平均温度が１００℃を超えない範囲では、仕切り部材１は、組電池１００中の単電池２００（例えばセル＃１）からの熱をその厚み方向に伝達し、セル＃１に仕切り部材１を介して対向する他の単電池２００（セル＃２）や単電池２００以外の部材（例えばバスバー３０１や冷却部材４００）へ伝達することができる。これに対し、平均温度が１００℃を超える場合には、熱により仕切り部材１が開口して内包された液体が気相状態又は液相状態で仕切り部材１の外部に流出する。この流出によって仕切り部材１内の断熱材１１０に空気（断熱作用を有する）が入り、厚み方向の断熱性（熱抵抗）を増加させる。これによって、セ
ル＃１から仕切り部材１を介してセル＃２へ伝達される熱量を減らすことができる。すなわち、或る単電池２００が通常状態を逸脱した状態になることを契機に他の単電池２００が通常状態を逸脱した状態となるのを回避することができる。
【００６３】
なお、仕切り部材１の、組電池を構成する単電池間を仕切る厚み方向の二面（面１ｃ及び面１ｄ）の双方の平均温度が８０℃よりも低い場合は、内包された液体により厚み方向への熱移動が促進される。組電池１００を構成する全ての単電池２００が通常状態である場合、仕切り部材１の熱移動抵抗が従来品より低いため、組電池１００内の単電池２００間の均温化に奏功し、温度ムラによる単電池２００の劣化を軽減する効果が期待できる。
【００６４】
＜異常発熱状態の単電池の冷却＞
本実施形態に係る仕切り部材１は、材料や構造の選択によって、仕切り部材１の厚み方向の二面（面１ｃ及び面１ｄ）のうち一方の平均温度が１８０℃を超える場合において、厚み方向の熱伝導率が２．０×１０−２Ｗ／ｍ・Ｋ以上２．０Ｗ／ｍ・Ｋ以下となるように構成される。また、仕切り部材１は、その厚み方向の二面（面１ｃ及び面１ｄ）のうち双方の平均温度が８０℃を超えない場合において、厚み方向の熱伝導率が５．０×１０−２Ｗ／ｍ・Ｋ以上５０Ｗ／ｍ・Ｋ以下となるように構成される。
【００６５】
例えば、図３や図８に示すように、仕切り部材１によって仕切られる二つの単電池２００（例えばセル＃１とセル＃２）があり、セル＃１が面１ｃと接触し、セル＃２が面１ｄと接触している状態において、面１ｃ及び面１ｄの双方の平均温度が８０℃以下の場合には、仕切り部材１を介しての熱移動が行われる。一方、セル＃１及びセル＃２の一方（例えばセル＃１）の温度が昇温し、セル＃１と接触する面１ｃの平均温度が１８０℃を超える場合には、仕切り部材１の熱伝導率が低下（断熱性が向上）し、熱がセル＃２へ伝達されにくくなる。これにより、セル＃２の損傷を回避する。
【００６６】
セル＃１から発せられる熱の多くは、充填部材１０を介して冷却部材４００に伝達される。
【００６７】
また、充填部材１０に移動した熱のうちの一部は、充填部材１０や冷却部材４００を介して、異常発熱状態になった単電池２００以外の単電池２００に伝達される。異常発熱状態になった単電池２００以外の単電池２００は、例えば、異常発熱状態になった単電池２００と仕切り部材１を介して対向する（仕切り部材を挟んで隣接する）単電池２００である。例えば、図８に示す例では、単電池２００の一つであるセル＃１が異常発熱状態となった場合に、そのセル＃１からの熱の一部が充填部材１０及び冷却部材４００を介してセル＃２に伝達される。
【００６８】
充填部材の熱伝導率は、好ましくは２．０×１０−２Ｗ／ｍ・Ｋ以上５０．０Ｗ／ｍ・Ｋ以下である。また、充填部材の厚みは厚み５．０×１０−５ｍ以上５．０×１０−２ｍ以下であることが好ましい。
【００６９】
[充填部材]
このため、実施形態に係る充填部材１０は、一例として、図１に示した構成を備える。本実施形態では、充填部材１０は、平行平板状に形成され、その厚み方向は、仕切り部材１の高さ方向（Ｈ）に配置され、充填部材１０の面方向は、仕切り部材１の厚み方向（Ｄ）に配置されている。また、充填部材１０は、その面方向に沿った第１及び第２の面を有する。本実施形態では、充填部材１０は、平行平板状に形成され、第１の面に相当する面
１０ａ及び第２の面に相当する面１０ｂを有する。面１０ａは上方を向き、面１０ｂはその反対方向（下方）を向いている。充填部材１０は、面１０ａにおいて、組電池１００を構成する第１及び第２の単電池を含む複数の単電池と接触する。本実施形態では、セル＃１が第１の単電池に相当し、セル＃２が第２の単電池に相当する。また、充填部材１０は、面１０ｂにおいて、第１及び第２の単電池を含む複数の単電池を冷却可能な冷却部材４００と接触する。
【００７０】
＜実施例＞
次に実施例により本発明の具体的態様を更に詳細に説明するが、本発明はこれらの例によって限定されるものではない。
【００７１】
以下に説明する実施例及び比較例では、異常発熱状態となった単電池２００から他の単電池２００への伝熱経路のうち、単電池２００間を仕切る仕切り部材１の熱移動量と、単電池２００と冷却部材４００との間に配置される充填部材１０を介する熱移動量とに着目し、仕切り部材１及び充填部材１０による単電池２００間の伝熱量抑制の可能性を検討した。
【００７２】
評価対象の組電池１００として、図８に示すような５つの単電池２００が連結された組電池モデルを構築し、セル＃１に異常発熱状態時相当の発熱量１．４×１０９［Ｊ／ｍ３］（ＮＭＣ系正極を用いたセル＃２の熱量評価から推定される総発熱量）を与え、以下の実施例１〜５並びに比較例１及び２の条件において、熱伝導方程式を有限要素法により解くことにより、セル＃１に隣接するセル＃２の温度推移を推算し、充填部材１０の熱移動感度の変化によるセル間の伝熱量抑制等の効果を評価した。ここで、解析にはＣＯＭＳＯＬ  ＡＢ社製の汎用物理シミュレーションソフトウエアであるＣＯＭＳＯＬ  Ｍｕｌｔｉｐｈｙｓｉｃｓを用い、下記参考文献９、１０を参照して解析した。なお、セル＃１とセル＃２との間の伝熱経路については、図８で説明した経路が想定される（参考文献９：特開２００６−０１０６４８号公報、参考文献１０：Ｒ．Ｍ．Ｓｐｏｔｎｉｔｚ  ｅｔ  ａｌ．，  Ｊ．Ｐｏｗｅｒ  Ｓｏｕｒｃｅｓ  １６３，  １０８０−１０８６，（２００７））。
【００７３】
実施例及び比較例において、セル＃１〜＃５の夫々のサイズは、ドイツ自動車工業会で規定されているＰＨＥＶ２サイズ（縦９１ｍｍ、幅１４８ｍｍ、厚み２６．５ｍｍ）とした。また、簡単のため、冷却部材４００はアルミニウムやアルミニウム合金等の金属で構成された厚み約４ｍｍの板状材料であると想定し、熱伝導率は２００Ｗ／ｍ・Ｋとした。セル＃１及び＃２と冷却部材４００との間に設置される充填部材１０は、絶縁塗料等の塗膜またはプラスチックフィルムであると想定した。充填部材１０に関しては、膜厚、フィラー（充填部材１０内への詰め物）の種類や充填量、あるいは充填部材１０の構造体をなすプラスチックの種類で熱移動抵抗を変更できる。また、セル＃１とセル＃２の間に設置される仕切り部材１は断熱性の材料であると想定した。バスバー３０１は、アルミニウム製であるものと想定し、熱伝導率は２３７Ｗ／ｍ・Ｋとした。また、冷却部材４００に関して、冷媒の流れ（フロー）が止まった状態を想定し、冷却部材４００の周囲の環境には、自然対流相当の熱伝達係数を与えた。これらの条件下で、セル＃１が異常発熱状態に至ってから３００秒間のセル＃２内の温度推移を推算した。
【００７４】
なお、実施例１〜５並びに比較例１及び２においては、異常発熱状態の温度に達した単電池２００から伝達された熱に起因する昇温の程度を明確にするため、セル＃１以外のセル＃２〜セル＃５については、セルの自己発熱による昇温を考慮していない。
【００７５】
以下の表２に、実施例１−１〜１−５並びに比較例１−１及び１−２の結果を示す。
【表２】
2019185846.tif 000004
【００７６】
実施例１−１〜１−５並びに比較例１−１及び１−２では、仕切り部材１の膜厚（厚み方向の寸法）は１ｍｍで固定とした。また、仕切り部材１の熱伝導率ｋｄについては、面１ｃや面１ｄの平均温度の変化に拘わらず一定（０．１Ｗ／（ｍ・Ｋ））とした。膜厚及び熱伝導率ｋｄが一定のため、熱移動感度Ｓｄも一定の値（１．３５Ｗ／Ｋ）であった。この熱移動感度Ｓｄは、０＜Ｓｄ≦２の範囲に収まる。一方、充填部材１０に関しては、熱伝導率ｋｂを変化させて測定を行った。各熱伝導率ｋｂに対する熱移動感度Ｓｂと感度比（Ｓｄ／Ｓｂ）とを求めた。
【００７７】
（比較例１−１）
充填部材１０に熱伝導率ｋｂが２．０Ｗ／ｍ・Ｋの材料を用い、膜厚は１ｍｍとした。セル＃１に異常が発生してから１５２秒後に、セル＃２内部の最高温度が２１２．４℃に到達するものと推算された。この場合の充填部材１０の熱移動感度Ｓｂは７．８４Ｗ／Ｋであり、感度比Ｓｄ／Ｓｂは０．１７２であった。
【００７８】
（実施例１−１）
充填部材１０に熱伝導率ｋｂが１．０Ｗ／ｍ・Ｋの材料を用い、膜厚は１ｍｍとした。セル＃１に異常が発生してから１６８秒後に、セル＃２内部の最高温度が２０８．７℃に到達するものと推算された。この場合の充填部材１０の熱移動感度Ｓｂは３．９２Ｗ／Ｋであり、感度比Ｓｄ／Ｓｂは０．３４４であった。
【００７９】
（実施例１−２）
充填部材１０に熱伝導率ｋｂが０．８Ｗ／ｍ・Ｋの材料を用い、膜厚は１ｍｍとした。セル＃１に異常が発生してから１６８秒後に、セル＃２内部の最高温度が２０７．９℃に到達するものと推算された。この場合の充填部材１０の熱移動感度Ｓｂは３．１３Ｗ／Ｋであり、感度比Ｓｄ／Ｓｂは０．４３１であった。
【００８０】
（実施例１−３）
充填部材１０に熱伝導率ｋｂが０．６Ｗ／ｍ・Ｋの材料を用い、膜厚は１ｍｍとした。セル＃１に異常が発生してから１７５秒後に、セル＃２内部の最高温度が２０７．１℃に到達するものと推算された。この場合の充填部材１０の熱移動感度Ｓｂは２．３５Ｗ／Ｋ
であり、感度比Ｓｄ／Ｓｂは０．５７４であった。
【００８１】
（実施例１−４）
充填部材１０に熱伝導率ｋｂが０．４Ｗ／ｍ・Ｋの材料を用い、膜厚は１ｍｍとした。セル＃１に異常が発生してから１８８秒後に、セル＃２内部の最高温度が２０７．３℃に到達するものと推算された。この場合の充填部材１０の熱移動感度Ｓｂは１．５７Ｗ／Ｋであり、感度比Ｓｄ／Ｓｂは０．８６０であった。
【００８２】
（実施例１−５）
充填部材１０に熱伝導率ｋｂが０．２Ｗ／ｍ・Ｋの材料を用い、膜厚は１ｍｍとした。セル＃１に異常が発生してから１７９秒後に、セル＃２内部の最高温度が２０８．１℃に到達するものと推算された。この場合の充填部材１０の熱移動感度Ｓｂは０．７８４Ｗ／Ｋであり、感度比Ｓｄ／Ｓｂは１．７２であった。
【００８３】
（比較例１−２）
充填部材１０に熱伝導率ｋｂが０．１Ｗ／ｍ・Ｋの材料を用い、膜厚は１ｍｍとした。セル＃１に異常が発生してから２０８秒後に、セル＃２内部の最高温度が２１１．０℃に到達するものと推算された。この場合の充填部材１０の熱移動感度Ｓｂは０．１９６Ｗ／Ｋであり、感度比Ｓｄ／Ｓｂは６．８９であった。
【００８４】
実施例１−１〜１−５並びに比較例１−１及び１−２の結果から、以下のことがわかる。組電池１００を構成する単電池２００と電池温度の冷却および均等化のために備えられた冷却部材４００との間に設置される充填部材１０について、仕切り部材１の熱移動感度Ｓｄが一定の場合、充填部材１０の熱移動抵抗（熱伝導率ｋｂ）を適切な範囲内に収めることで、異常が発生したセル＃１（第１の単電池）から冷却部材４００を介して伝わる熱量に起因するセル＃２（第２の単電池）の昇温の程度を制御できる、すなわち、実施例１−１〜１−５並びに比較例１−１及び１−２によれば、冷却部材４００を介した単電池２００間の熱移動を好適に制御できる可能性があることが示された。
【００８５】
実施例１−１〜１−５では、セル＃２の最高温度を２１０℃より低い値にすることができるのに対し、比較例１−１及び１−２では、２１０℃を超える最高温度となった。これらより、熱移動感度Ｓｄと熱移動感度Ｓｂとの関係が０．３≦（Ｓｄ／Ｓｂ）≦４．０を満たす範囲では、好適な熱伝達の制御がなされていることがわかった。
【００８６】
表３は、実施例２−１〜２−６並びに比較例２−１及び２−２の結果を示す。
【表３】
2019185846.tif 000005
【００８７】
実施例２−１〜２−６並びに比較例２−１及び２−２では、仕切り部材１の膜厚（厚み方向の寸法）は１ｍｍで固定とした。これに対し、面１ｃや面１ｄの平均温度の変化に応じて熱伝導率ｋｄが１．０Ｗ／（ｍ・Ｋ）から０．１Ｗ／（ｍ・Ｋ）へ低下する仕切り部材１を用いた。膜厚は一定であり、熱伝導率ｋｄが変化後の熱移動感度Ｓｄは一定の値（１．３５Ｗ／Ｋ）であった。この熱移動感度Ｓｄは、０＜Ｓｄ≦２の範囲に収まる。一方、充填部材１０に関しては、熱伝導率ｋｂを変化させて測定を行った。各熱伝導率ｋｂに対する熱移動感度Ｓｂと感度比（Ｓｄ／Ｓｂ）とを求めた。
【００８８】
（比較例２−１）
充填部材１０に熱伝導率ｋｂが２．０Ｗ／ｍ・Ｋの材料を用い、膜厚は１ｍｍとした。セル＃１に異常が発生してから１３７秒後に、セル＃２内部の最高温度が２１０．４℃に到達するものと推算された。この場合の充填部材１０の熱移動感度Ｓｂは７．８４Ｗ／Ｋであり、感度比Ｓｄ／Ｓｂは０．１７２であった。
【００８９】
（実施例２−１）
充填部材１０に熱伝導率ｋｂが１．０Ｗ／ｍ・Ｋの材料を用い、膜厚は１ｍｍとした。セル＃１に異常が発生してから１６０秒後に、セル＃２内部の最高温度が２０４．１℃に到達するものと推算された。この場合の充填部材１０の熱移動感度Ｓｂは３．９２Ｗ／Ｋであり、感度比Ｓｄ／Ｓｂは０．３４４であった。
【００９０】
（実施例２−２）
充填部材１０に熱伝導率ｋｂが０．８Ｗ／ｍ・Ｋの材料を用い、膜厚は１ｍｍとした。セル＃１に異常が発生してから１６８秒後に、セル＃２内部の最高温度が２０２．５℃に到達するものと推算された。この場合の充填部材１０の熱移動感度Ｓｂは３．１３Ｗ／Ｋであり、感度比Ｓｄ／Ｓｂは０．４３１であった。
【００９１】
（実施例２−３）
充填部材１０に熱伝導率ｋｂが０．６Ｗ／ｍ・Ｋの材料を用い、膜厚は１ｍｍとした。
セル＃１に異常が発生してから１８０秒後に、セル＃２内部の最高温度が２００．６℃に到達するものと推算された。この場合の充填部材１０の熱移動感度Ｓｂは２．３５Ｗ／Ｋであり、感度比Ｓｄ／Ｓｂは０．５７４であった。
【００９２】
（実施例２−４）
充填部材１０に熱伝導率ｋｂが０．４Ｗ／ｍ・Ｋの材料を用い、膜厚は１ｍｍとした。セル＃１に異常が発生してから１６２秒後に、セル＃２内部の最高温度が１９９．６℃に到達するものと推算された。この場合の充填部材１０の熱移動感度Ｓｂは１．５７Ｗ／Ｋであり、感度比Ｓｄ／Ｓｂは０．８６０であった。
【００９３】
（実施例２−５）
充填部材１０に熱伝導率ｋｂが０．２Ｗ／ｍ・Ｋの材料を用い、膜厚は１ｍｍとした。セル＃１に異常が発生してから１６９秒後に、セル＃２内部の最高温度が２００．１℃に到達するものと推算された。この場合の充填部材１０の熱移動感度Ｓｂは０．７８４Ｗ／Ｋであり、感度比Ｓｄ／Ｓｂは１．７２であった。
【００９４】
（実施例２−６）
充填部材１０に熱伝導率ｋｂが０．１Ｗ／ｍ・Ｋの材料を用い、膜厚は１ｍｍとした。セル＃１に異常が発生してから１７２秒後に、セル＃２内部の最高温度が２０２．１℃に到達するものと推算された。この場合の充填部材１０の熱移動感度Ｓｂは０．３９２Ｗ／Ｋであり、感度比Ｓｄ／Ｓｂは３．４４であった。
【００９５】
（比較例２−２）
充填部材１０に熱伝導率ｋｂが０．０２Ｗ／ｍ・Ｋの材料を用い、膜厚は１ｍｍとした。セル＃１に異常が発生してから１８６秒後に、セル＃２内部の最高温度が２０７．４℃に到達するものと推算された。この場合の充填部材１０の熱移動感度Ｓｂは０．０７８Ｗ／Ｋであり、感度比Ｓｄ／Ｓｂは１７．３であった。
【００９６】
実施例２−１〜２−６並びに比較例２−１及び２−２の結果から、以下のことがわかる。充填部材１０について、仕切り部材１の熱伝導率ｋｄ低下後の熱移動感度Ｓｄが一定の場合、充填部材１０の熱移動抵抗（熱伝導率ｋｂ）を適切な範囲内に収めることで、異常が発生したセル＃１（第１の単電池）から冷却部材４００を介して伝わる熱量に起因するセル＃２（第２の単電池）の昇温の程度を制御できる、すなわち、実施例２−１〜２−６並びに比較例２−１及び２−２によれば、冷却部材４００を介した単電池２００間の熱移動を好適に制御できる可能性があることが示された。
【００９７】
実施例２−１〜２−６では、セル＃２の最高温度を２１０℃より低い値にすることができるのに対し、比較例２−１及び２−２では、２１０℃を超える最高温度となった。実施例２−１〜２−６の結果より、仕切り部材１が表面温度に応じて熱伝導率ｋｄを変化（低下）させる機構（スイッチング機能）を有している場合においても、熱移動感度Ｓｄと熱移動感度Ｓｂとの関係が０．３≦（Ｓｄ／Ｓｂ）≦４．０を満たす範囲では、好適な熱伝達の制御がなされていることがわかった。
【００９８】
ここで、実施例１〜５並びに比較例１及び２では、充填部材１０の厚み（膜厚）を１ｍｍに固定したが、充填部材１０の厚みは、５．０×１０−５ｍ以上５．０×１０−３ｍ以下であってもよい。このため、実施例１〜５並びに比較例１及び２の結果から、充填部材１０の厚み方向における熱伝導率ｋｂが２．０×１０−２Ｗ／ｍ・Ｋ以上１０．０Ｗ／ｍ・Ｋ以下であることが好ましいことがわかった。また、セル＃１及びセル＃２が異常発熱状態の温度に昇温していない場合における熱移動感度Ｓｄの値は２より大きいことが好ましい。
【符号の説明】
【００９９】
１          仕切り部材
１０      充填部材
１０ａ、１０ｂ  面
１００      組電池
１１０      内包体
１２０      外装体
２００      単電池
３００      筐体
４００      冷却部材
【図１】
2019185846.tif 000006
【図２】
2019185846.tif 000007
【図３】
2019185846.tif 000008
【図４】
2019185846.tif 000009
【図５】
2019185846.tif 000010
【図６】
2019185846.tif 000011
【図７】
2019185846.tif 000012
【図８】
2019185846.tif 000013